(57)【特許請求の範囲】
【請求項１】
スピーカと、
前記スピーカが取り付けられたバッフル板と、
前記スピーカの背面側を覆い前記バッフル板と共に前記スピーカの前記背面側にバックキャビティ部を形成するハウジングと、
前記ハウジングに設けられ前記バックキャビティ部と外部空間とを連通する連通孔と、
耳介を囲うようリング状に形成され頭部に装着した使用状態で前記頭部と前記ハウジングとの間に位置するイヤーパッドと、を備え、
前記使用状態で、
前記バッフル板は、頭部前方側ほど前記頭部に接近するよう配置されると共に、
前記バックキャビティを前記ハウジングの頭部前後方向の分割線に対する前方側空間と後方側空間とに仮想的に分割した際に、前記連通孔は、前記前方側空間と前記後方側空間とにそれぞれ開口する第１の開口部と第２の開口部とを有し、
前記前方側空間の容積Ｖｆｆと前記後方側空間の容積Ｖｒｒとが不等で、かつ、前記第１の開口部の開口面積ＡＲｆと前記第２の開口部の開口面積ＡＲｒとが不等であることを特徴とするヘッドホン。
【請求項２】
前記前方側空間と前記後方側空間とを、前記スピーカと共に仕切る仕切壁を有することを特徴とする請求項１記載のヘッドホン。
【発明の詳細な説明】
【技術分野】
【０００１】
本発明は、ヘッドホンに関する。
【背景技術】
【０００２】
ヘッドホンのハウジングに、ハウジングの内部空間と外部空間との空気流通を可能とする音響特性調整用の孔（以下、音質調整孔と称する）が設けられているものが知られている（例：特許文献１）。
また、いわゆるオーバーヘッドタイプであって耳介を覆うような大型のイヤーパッドを備えたヘッドホンにおいて、イヤーパッドの頭部に当接する当接面を含む平面とハウジングに収納されたスピーカユニットの駆動軸に直交する平面とが非平行とされ、そのヘッドホン装着状態において、頭部前方に向かうに従って、駆動軸に直交する平面がイヤーパッドの頭部に当接する当接面を含む平面に接近するものが知られている（例：特許文献２）。
【０００３】
これらの構造を有する従来のヘッドホンについて図１３を用いて説明する。
【０００４】
図１３は、従来のヘッドホンの左耳用のユニット１０１Ｌを頭部Ｈに装着した状態を天側から見た図であり、ユニット１０１Ｌは断面で示している。
左耳用のユニット１０１Ｌのハウジング１０２の内部には、スピーカユニットＳＰが収納されている。ハウジング１０２の頭部側の外面には、イヤーパッド１０６が取り付けられている。
【０００５】
頭部Ｈの左の耳介Ｅ１における耳甲介腔Ｅ２（破線で示す）は、頭部前方側が頭部Ｈの中心線ＣＬ１０１に接近するよう傾斜している。
スピーカユニットＳＰの振動板ＳＤＢの面をこの耳甲介腔Ｅ２の傾斜に合わせるように、駆動軸ＣＬ１０２を傾斜させる。
具体的には、駆動軸ＣＬ２に直交する面の頭部前方側が中心線ＣＬ１０１に接近する姿勢となるようにスピーカユニットＳＰを配設する。
【０００６】
これにより、振動板ＳＤＢと耳介の内側の面（耳甲介腔など）との距離が、振動板の位置で大きく異なることはなく、例えば、どの部分においても概ね等距離とすることができユーザが聴取する音の音質感が向上することが経験的に把握されている。
【先行技術文献】
【特許文献】
【０００７】
【特許文献１】特開平８−３３０８０号公報
【特許文献２】特開平６−１１３３８４号公報
【発明の概要】
【発明が解決しようとする課題】
【０００８】
ところで、ポータブルタイプのヘッドホンのハウジングは、オーバーヘッドタイプであっても、取り扱い易さからコンパクトであることが望まれる場合が多い。また、外観デザイン上、ハウジングは中央部が最も外方に突出した椀状に形成され、図１４に示すように、コードＣＤは頭部装着状態におけるハウジング１０２の中央下部（地面側）からブッシング４を介して引き出される態様とされるのが一般的である。図１４ではヘッドホンのヘッドバンドやヘッドバンドとハウジングとを連結するハンガー部などを削除して描いている。
【０００９】
一方、ハウジングに設けられる音質調整孔は、特許文献１にも記載されているように、できるだけ目立たないように設けられていることが望まれる。
従って、図１４のように、ハウジング１０２の中央下部にコードの引きだし部ＨＤがある場合、その引きだし部ＨＤのブッシング４の根元部分に視覚的に溶け込み目立たないような態様で音質調整孔１０３を設け、外部から認識されにくいようにすることが望まれる。
【００１０】
この場合、図１３で示すように、ハウジング１０２の内部空間は、ハウジング１０２を前後方向の中心で分割する分割線ＣＬ１０３に対する前側と後側とで、容積に差が生じる。
すなわち、ハウジング１０２の内部において、スピーカユニットＳＰが、その前方側ほど頭部中心線ＣＬ１０１に接近するように傾斜して配設されていることから、分割線ＣＬ１０３に対する前方側の空間Ｖｆが後方側の空間Ｖｒよりも容積が大きくなっている。
これにより、スピーカユニットＳＰの背面とハウジング１０２の内面との距離は、前方側の方が大きくなっている。
【００１１】
また、ハウジング１０２の内部空間において、そのほぼ中央位置にスピーカユニットＳＰが配置されることで、例えば、その内部空間の上方側と下方側との間、あるいは、前方側と後方側との間、の空気流通に有る程度の抵抗が生じる。
すなわち、仮想的に、ハウジング１０２の内部空間を、スピーカユニットＳＰを挟んだ２つの空間に分割されているものとみなすことができる。
【００１２】
ここで音質調整孔１０３は、上述のように、ハウジング１０２の分割線ＣＬ１０３上に位置して設けられた場合（図１４参照）、前方側の空間Ｖｆと後方側の空間Ｖｒとの双方に跨って連通する。
一方、スピーカユニットＳＰの振動板ＳＤＢのバックキャビティについては、分割線ＣＬ１０３に対して前方側の部分のバックキャビティが空間Ｖｆ、後方側の部分のバックキャビティが空間Ｖｒに相当する。
【００１３】
従って、振動板ＳＤＢにおける前方側の部分よりも後方側の部分の方が、対応するバックキャビティ容積が小さく振動板ＳＤＢの振動に対する抵抗が大きくなる。
そのため、振動板ＳＤＢの振動が少なくとも前方側と後方側とで均一にならず、音響的に歪みが生じ、良好な再生音が得られにくくなることが懸念される。
【００１４】
そこで本発明が解決しようとする課題は、振動板の振動が均一化して良好な再生音が得られるヘッドホンを提供することにある。
【課題を解決するための手段】
【００１５】
上記の課題を解決するために、本願発明は手段として次の１）及び２）の構成を有する。
１）  スピーカ(11)と、
前記スピーカ(11)が取り付けられたバッフル板(54)と、
前記スピーカ(11)の背面側を覆い前記バッフル板(54)と共に前記スピーカ(11)の前記背面側にバックキャビティ部(BC)を形成するハウジング(52)と、
前記ハウジング(52)に設けられ前記バックキャビティ部(BC)と外部空間とを連通する連通孔(55)と、
耳介(E1)を囲うようリング状に形成され頭部(H)に装着した使用状態で前記頭部(H)と前記ハウジング(52)との間に位置するイヤーパッド(53)と、を備え、
前記使用状態で、
前記バッフル板(54)は、頭部前方側ほど前記頭部に接近するよう配置されると共に、
前記バックキャビティ部(BC)を前記ハウジング(52)の頭部前後方向の分割線ＣＬ３に対する前方側空間(Vf)と後方側空間(Vr)とに仮想的に分割した際に、前記連通孔（55）は、前記前方側空間(Vf)と前記後方側空間(Vr)とにそれぞれ開口する第１の開口部(55a)と第２の開口部(55b)とを有し、
前記前方側空間(Vf)の容積Ｖｆｆと前記後方側空間(Vr)の容積Ｖｒｒとが不等で、かつ、前記第１の開口部(55a)の開口面積ＡＲｆと前記第２の開口部(55b)の開口面積ＡＲｒとが不等であることを特徴とするヘッドホン(HP)である。
２）  前記前方側空間(Vf)と前記後方側空間(Vr)とを、前記スピーカ(11)と共に仕切る仕切壁(57)を有することを特徴とする１）項に記載のヘッドホン(HP)である。
【発明の効果】
【００１６】
本発明によれば、振動板の振動が均一化して良好な再生音が得られる、という効果を奏する。
【図面の簡単な説明】
【００１７】
【図１】本発明のヘッドホンの実施例を説明するための模式的断面図である。
【図２】本発明のヘッドホンの実施例における変形例を説明するための模式的説明図である。
【図３】本発明のヘッドホンの実施例における外観を示す斜視図である。
【図４】本発明のヘッドホンの実施例における本体部の外観を示す斜視図である。
【図５】図４に示した本体部の分解図である。
【図６】本体部を構成する一部材を説明するための三面図である。
【図７】本体部を構成する他の部材を説明するための三面図である。
【図８】一部材と他の部材との係合状態を説明するための斜視的断面図である。
【図９】本体部の内部構造を説明するための縦断面図である。
【図１０】本体部からカバーを外した状態を説明するための斜視図である。
【図１１】本体部の内部構造を説明するための断面図である。
【図１２】本体部の要部を説明するための部分斜視図である。
【図１３】従来のヘッドホンを説明するための断面図である。
【図１４】ヘッドホンの外観形状を説明するための平面図である。
【発明を実施するための形態】
【００１８】
本発明の実施の形態を、好ましい実施例により図１〜図１２，及び図１４を用いて説明する。
【００１９】
図１は、実施例のヘッドホンＨＰの内部構造を説明するための模式的断面図である。図２は、ヘッドホンＨＰの変形例を示す模式的断面図である。両図とも、ヘッドホンを頭部Ｈに装着した際の、左耳側について、天側から見た図であり、ヘッドホンの左耳用のユニット１５１（図１），１５１Ａ（図２）について切断した模式的断面図である。
【００２０】
まず、図１を用いてユニット１５１の内部構造を説明する
ユニット１５１は、ハウジング５２と、ハウジング５２の頭部Ｈ側の面に取り付けられたイヤーパッド５３と、を有している。
ハウジング５２の内部には、バッフル板５４が設けられており、バッフル板５４にはスピーカユニット１１が取り付けられている。
【００２１】
ヘッドホンＨＰは、いわゆるオーバーヘッド型であり、イヤーパッド５３は、頭部Ｈの耳介Ｅ１を囲える大きさのリング状に形成されている。
頭部Ｈの左の耳介Ｅ１における耳甲介腔Ｅ２（破線で示す）は、前方側が頭部Ｈの中心線ＣＬ１０１に接近するよう傾斜している。
【００２２】
ユニット１５１において、バッフル板５４は、そこに取り付けられたスピーカユニット１１の振動板ＳＤＢの面がこの耳甲介腔Ｅ２の傾斜に合うように、傾斜して設けられている。これにより、スピーカユニット１１の駆動軸ＣＬ２も、ユニット１５１を前後方向に中央で分割する分割線ＣＬ３に対して傾斜している。
具体的には、駆動軸ＣＬ２に直交する面の頭部前方側が頭部Ｈの中心線ＣＬ１０１に接近する姿勢となるようにスピーカユニット１１が配設されている。
【００２３】
これにより、振動板ＳＤＢと耳介Ｅ１の内側の面（耳甲介腔Ｅ２など）との距離の差が、振動板ＳＤＢの部分によらず少なくどの部分においても概ね等しくすることができ、ユーザが聴取する音の音質感が向上する。
【００２４】
ハウジング５２からは、図１４に示すように、コードＣＤが頭部装着状態におけるハウジング５２の中央下部（地面側）に位置するコードの引き出し部ＨＤからブッシング４を介して引き出されている。引き出し部ＨＤには、ハウジング５２の内部空間（バックキャビティ部ＢＣ）と外部との空気流通を可能にする貫通孔５５が設けられている。
この貫通孔５５は、設計試作段階でその形状等を調整してヘッドホン５０の音質調整が行われる孔であるので、以下音質調整孔５５と称する。
【００２５】
図１では引きだし部ＨＤは紙面奧側になってしまうので、音質調整孔５５は、便宜的に、ハウジング５２における図１の紙面上方側に設けられたように記載している。
【００２６】
ユニット１５１において、音質調整孔５５は、外部空間に対して１つの開口である外開口部５５ｓを有するが、ハウジング５２の内部への開口部は、分割線ＣＬ３に対する頭部前方側の内部空間Ｖｆへ開口する内開口部５５ａと、頭部後方側の内部空間Ｖｒに開口する内開口部５５ｂとに分かれている。
さらに、図１に示すように、外開口部５５ｓと内開口部５５ａ，５５ｂとの間にダクト５６ｓ，５６ａ，５６ｂが形成されている。
具体的には、外開口部５５ｓ側のダクト５６ｓと、ダクト５６ｓから分岐して内開口部５５ａに繋がるダクト５６ａと、ダクト５６ｓから分岐して内開口部５５ｂに繋がるダクト５６ｂとを有している。
【００２７】
これにより、ハウジング５２の内部空間が、仮想的にスピーカユニット１１を挟んで内部空間Ｖｆと内部空間Ｖｒとの２つの空間に分割されているものとみなされる場合においても、それぞれの内部空間に開口する内開口部５５ａの開口面積と内開口部５５ｂの開口面積とを、又はダクト５６ａの断面積とダクト５６ｂの断面積とを独立して調整することができる。
従って、スピーカユニット１１に対するバックキャビティ部ＢＣである内部空間Ｖｆと内部空間Ｖｒとの容積の違いから生じる振動板ＳＤＢのアンバランスな振動を均一化して、良好な再生音を提供することができる。
【００２８】
図１に示すように、外開口部５５ｓの開口面積又はダクト５６ｓの断面積を面積ＡＲｓとし、内開口部５５ａの開口面積又はダクト５６ａの断面積を面積ＡＲｆとし、内開口部５５ｂの開口面積又はダクト５６ｂの断面積を面積ＡＲｒとし、内部空間Ｖｆ，Ｖｒの容積をそれぞれＶｆｆ，Ｖｒｒとすると、
Ｖｒｒ＜Ｖｆｆ・・・（式１）  かつ  ＡＲｒ≠ＡＲｆ・・・（式２）
の関係が満たされる。
【００２９】
また、空気の移動量にロスがないように、
（式１）及び（式２）を満たし、かつ、ＡＲｆ＋ＡＲｒ≦ＡＲｓ・・・（式３）
とされているとよい。
【００３０】
図２に示されるユニット１５１Ａは、図１に示されるユニット１５１に対し、内部空間Ｖｆと内部空間Ｖｒとを完全に独立した空間とする仕切壁５７を設けた例である。仕切壁５７を設けてある点以外は、図１のユニット１５１と同じである。
仕切壁５７は、スピーカユニット１１に密着するように設けられ、スピーカユニット１１と共にハウジング５２の内部を２つの内部空間Ｖｆ，Ｖｒに分割する。
このユニット１５１Ａでは、内部空間Ｖｆ，Ｖｒが完全に独立した空間になるので、内開口部５５ａ，５５ｂやダクト５６ａ，５６ｂの開口面積や断面積の影響が振動板の振動により顕著に影響する。
従って、精緻な音質調整が必要な場合に有効である。
【００３１】
図示しないが、別の変形例として、ダクト５６ａ，５６ｂを連結してダクト５６ｓとすることなく、独立してハウジング５２に開口させる構造としてもよい。
この場合、ハウジング５２の引きだし部ＨＤには、独立した複数の開口が視認されるので、１つの開口（図１，図２）とするか別の変形例である複数の開口とするかは、外観デザイン的観点から選択することができる。
【００３２】
次に、上述したユニット１５１の具体的実施形態を図３〜図１２を用いて説明する。
【００３３】
図３において、ヘッドホン５０は、いわゆるオーバーヘッドタイプのヘッドホンであり、ヘッドバンド部１とヘッドバンド部１の両端に接続された略Ｕ字状のハンガ部２Ｌ，２Ｒと、各ハンガ部に支持された本体部３Ｌ，３Ｒとを有する。
ヘッドホン５０は、使用状態と使用状態から折り畳まれた収納状態との２つの態様を取り得る。図３は折り畳んだ収納状態を示している。
【００３４】
本体部３Ｌ，３Ｒからは、ブッシング４を介してコード５がそれぞれ引き出されている。この引き出し位置を引き出し部ＨＤとして図４に示す。
また、本体部３Ｌ，３Ｒには、イヤーパッド６がそれぞれ着脱可能に取り付けられている。
【００３５】
次に本体部３Ｌについて説明する，左耳用の本体部３Ｌと右耳用の本体部３Ｒとは、互いにほぼ面対称形状なので、代表として本体部３Ｌについて説明する。
【００３６】
図４は、イヤーパッド６を取り外した状態の本体部３Ｌを示す外観斜視図である。図５は、図４に示す本体部３Ｌの分解図である。
【００３７】
図４及び図５に示されるように、本体部３Ｌは、ベース７，リングベース８，オーナメントリング９，及びカバー１０を有する。さらに、ベース７に取り付けられたスピーカユニット１１と、オーナメントリング９に取り付けられた筒状のブッシング４と、を有する。ブッシング４にはコード５が挿通されている。
以下、ベース７，リングベース８，オーナメントリング９，及びカバー１０を組み合わせた筐体を便宜的にハウジングＨＧと称する。
従って、スピーカユニット１１はハウジングＨＧに収納され、ブッシング４はハウジングＨＧから突出するように設けられている。
【００３８】
ベース７は、長手軸ＣＬ１（図４参照）を有する楕円形状を呈するバッフルボード部７ａと、バッフルボード部７ａの周囲に連結されると共に径方向外方に張り出してイヤーパッド６が取り付けられる環状のフランジ部７ｂと、バッフルボード部７ａにおいて環状に立設されたリブ７ｃと、バッフルボード部７ａにおけるリブ７ｃで囲まれた部分に設けられた複数の放音孔７ｄと、を有している。
バッフルボード部７ａの表面は、それを含む平面がフランジ部７ｂを含む平面に対して直交せず所定の角度で傾くように形成されている。
【００３９】
リングベース８は、ベース７の形状に対応した概ね楕円形状のリングとして形成され、ベース７に対しそのバッフルボード部７ａを取り囲むように嵌合する。
スピーカユニット１１は、ベース７のリブ７ｃの内側に収納され接着剤によりベース７に対して固定されている。スピーカユニット１１から出力された音声は、放音孔７ｄを通過して外部に放出される。
【００４０】
オーナメントリング９は、その三面図である図６も参照して説明すると、貫通孔９ａを有する筒部９ｂと、ベース７及びリングベース８の外形形状に対応した楕円形形状に形成された輪部９ｃと、を有している。
【００４１】
ブッシング４は、その三面図である図７も参照して説明すると、貫通孔４ａを有する筒部４ｂと、筒部４ｂの一端側に連結し先細りの外形を有する先端筒部４ｃと、筒部４ｂの他端側に形成された矩形形状のフランジ部４ｄと、を有している。
また、他端部には、フランジ部４ｄの一辺をＵ字状に抉る凹部４ｅが形成されている。
【００４２】
オーナメントリング９の貫通孔９ａには、その内側の開口部から外側に向けて、ブッシング４が図５における矢印ＤＲ１のように先端筒部４ｃ側から挿入される。その後、ブッシング４の貫通孔４ａにコード５が挿通される。貫通孔４ａに挿通されたコード５をブッシング４は支持する。
図５では、ブッシング４が貫通孔９ａに挿入される前の状態でコード５が挿通されている状態を示している。図５において、コード５には、その外形の寸法を拡大する外形寸法拡大部ＧＫが設けられている。実施例において外形寸法拡大部ＧＫは結び玉５ａである。この外形寸法拡大部ＧＫの外形寸法は、貫通孔４ａの最小径よりも大きくなるように設定されている。従って、外形寸法拡大部ＧＫは貫通孔４ａに進入することができず、コード５の引き抜きが防止される。
また、コード５の結び玉５ａよりも先端側（先端コード部５ｂ）の端部は芯線が露出するよう加工され、スピーカユニット１１の図示しない端子に電気的に接続される。
オーナメントリング９は、筒部９ｂにブッシング４が挿入された状態でリングベース８の端部に係合している。接着剤によりリングベース８に対して固定してもよい。
【００４３】
カバー１０は、外形がオーナメントリング９の形状に対応した概ね楕円形状であって中央部が最も突出した扁平の椀状を呈して形成されている。カバー１０はオーナメントリング９の輪部９ｃに係合している。
また、カバー１０は、一方の長手軸ＣＬ１端に切り欠き１０ｃが形成されている（図４，図９，及び図１１参照）。
この切り欠き１０ｃから、オーナメントリング９の筒部９ｂ外部に突出するようになっている。すなわち、筒部９ｂの一部がハウジングＨＧから外部に露出するようになっている。
【００４４】
本体部３Ｌは、ベース７とカバー１０とが、タッピングネジＹにより、リングベース８及びオーナメントリング９を間に挟み込むようにして締め付け固定されている（図１１も参照）。例えば３箇所をタッピングネジＹによって締め付ける。図５では便宜的に２箇所について示している。
ハウジングＨＧは、外観形状として外形が略楕円状に形成されている。ハウジングＨＧには、その長手軸ＣＬ１に沿ってオーナメントリング９の筒部９ｂの一部が長手軸ＣＬ１に沿って外部に突出するように設けられ、突出した筒部９ｂの先端からブッシング４の先端筒部４ｃが突出し、先端筒部４ｃの先端から長手軸ＣＬ１に沿ってコード５が引き出されている。
【００４５】
ベース７，リングベース８，オーナメントリング９，及びカバー１０は、樹脂を射出成形することで形成されている。材料例はＡＢＳ（アクリロニトリル・ブタジエン・スチレン）樹脂である。
オーナメントリング９にはクロムメッキなどの装飾加工が施される。
ブッシング４は、柔軟性を有する材料で形成されている。材料例はシリコーンゴムである。
【００４６】
図８は、オーナメントリング９を、図６のＳ１−Ｓ１で切断した斜視的断面図であり、筒部４ｂにブッシング４が挿入された状態を示している。
オーナメントリング９の筒部９ｂの貫通孔９ａの内径は、ブッシング４の筒部４ｂの外径とほぼ同じかわずかに小さく設定されている。従って、貫通孔９ａに対してブッシング４はガタなく挿入されている。
ブッシング４の筒部４ｂの貫通孔４ａの内径は、コード５の外形とほぼ同じに設定されている。従って、貫通孔４ｂに対してコード５はほとんどガタなく挿通されている。
【００４７】
次に、本体部５０Ｌの詳細構造を、図９〜図１１を主に用いて説明する。
【００４８】
図９は、本体部３Ｌを図６におけるＳ２−Ｓ２（ベース７の楕円形状の長手軸に相当）で切断した断面図である。
図１０は、本体部３Ｌからカバー１０を取り外した状態を示す斜視図である。
図１１は、本体部３Ｌを図９におけるＳ３−Ｓ３で切断し矢印ＤＲ３方向から見た斜視的断面図である。
【００４９】
図９〜図１１から明らかなように、ブッシング４の筒部４ｂは、オーナメントリング９の筒部９ｂにより少なくとも長手方向距離Ｌｂ（図９参照）の範囲で覆われ、外形が先すぼまりとなるよう傾斜した先端筒部４ｃが外部に露出している。
筒部９ｂのスピーカユニット１１側の端部は、ブッシング４のフランジ部４ｄに突き当たるようになっている。また、その状態でブッシング４の凹部４ｅに対応する部分には、凹部４ｅの凹み形状に対応して凹部４ｅを覆わないよう切り込まれた切り欠き部９ｂ１が形成されている（図５も参照）。
【００５０】
ブッシング４は、そのフランジ部４ｄが長手軸ＣＬ１上においてベース７のリブ７ｃと近接する位置にあるよう配設されている。
また、カバー１０の内側の面１０ａにおけるコード５の引き出し側には、長手軸ＣＬ１をまたぐようにリブ１０ｂが設けられている。リブ１０ｂの先端の中央部分は平面的にも断面的にも曲線状に抉られた抉り部１０ｂ１が形成されている。
【００５１】
そして、ブッシング４のスピーカユニット１１側の端部とスピーカユニット１１との間には、バッフルボード部７ａと、リブ７ｃと、凹部４ｅと、切り欠き部９ｂ１と、抉り部１０ｂ１と、に囲まれた空間Ｖが形成されている。
この空間Ｖにコード５の外形寸法拡大部ＧＫが収められている。従って、凹部４ｅには外形寸法拡大部ＧＫの少なくとも一部が収められている。実施例において外形寸法拡大部ＧＫは結び玉５ａである。
【００５２】
リブ７ｃの先端とバッフルボード部７ａとの間には、隙間Ｌ１が設けられており（図１１参照）、この隙間Ｌ１から、外形寸法拡大部ＧＫよりもスピーカユニット１１側の先端コード部５ｂがスピーカユニット１１に向けて引き出されている（図５及び図１１以外の図において先端コード部５ｂは省略。また、図１１においては先端コード部５ｂを切断して一部のみ図示）。
【００５３】
コード５の先端コード部５ｂは、外形寸法拡大部ＧＫから長手軸ＣＬ１方向ではない方向に引き出されている。図１１においては、長手軸ＣＬ１に対してほぼ直交方向に引き出されている。実施例においてブッシング４の長手方向は長手軸ＣＬ１の方向と一致している。
外形寸法拡大部ＧＫである結び玉５ａは、その先端側（スピーカユニット１１側）がベース７のリブ７ｃによって位置が規制され、側面側が抉り部１０ｂ１及び凹部４ｅによって位置が規制され、他端側（ブッシング４側）が凹部４ｅによって位置が規制されている。
【００５４】
ブッシング４のフランジ部４ｄは矩形形状とされている。実施例では四角形であり、フランジ部４ｄにおける凹部４ｅが形成された一辺の端面がバッフルボード部７ａに当接するようになっている。
これにより、ブッシング４の長手軸ＣＬ１回りの回動が防止されている。
【００５５】
図９において、ブッシング４のフランジ部４ｄにおける凹部４ｅが形成された一辺と対向する一辺４ｄ１（図１１も参照）は、オーナメントリング９の筒部９ｂとカバー１０のリブ１０ｂとの間にほぼ隙間無く挟まれて、長手軸ＣＬ１方向の位置が規制されている。
これにより、先端筒部４ｃを摘んでブッシング４を引き抜こうとしても、引き抜くことはできない。また、ブッシング４がオーナメントリング９に対して移動してしまうこともない。
【００５６】
上述の構成において、ブッシング４は、その筒部４ｂがオーナメントリング９の筒部９ｂにコードの延在方向に長さＬｂの範囲で覆われてこの範囲で屈曲しないようにしっかりと保持されている。長さＬｂはブッシング４の材質に応じて設定される。
このように、ブッシング４に対して筒部９ｂで覆われる部分を設けていることにより、凹部４ｅが形成されていても屈曲に対してブッシング４が裂けるなどの不具合が極めて生じにくくなっている。
また、筒部４ｂから先端側の先端筒部４ｃが筒部９ｂから開放されて屈曲可能となっているので、コード５に負荷される屈曲に対し良好な耐屈曲性が発揮される。
【００５７】
実施例では、ブッシング４のフランジ４ｄ側に凹部４ｅを設けて外形寸法拡大部ＧＫ（結び玉５ａ）を収める空間Ｖを形成しているので、ブッシング４のフランジ部４ｄをスピーカユニット１１側により接近させることができる。
また、コード５の先端コード部５ｂを、外形寸法拡大部ＧＫ（結び玉５ａ）から長手軸ＣＬ１方向ではない、例えば長手軸ＣＬ１に直交する方向に引き出すようにしている。
長手軸ＣＬ１方向は、実施例において、ブッシング４の貫通孔４ａの軸方向と一致する。ハウジングＨＧが長手軸ＣＬ１を有さない外形形状を有する場合は、先端コード部５ｂは、貫通孔４ａの軸方向ではない方向に引き出されるようになっていればよい。
従って、本体部の外形が従来と同じサイズであってもより大きなスピーカユニットを採用することができる。逆に、従来と同じサイズのスピーカユニットを採用しても本体部の外形をより小型にすることができる。
【００５８】
実施例では、オーナメントリング９の筒部９ｂの一部が外部に露出するようカバー１０などから突出させているので、ブッシング４のフランジ４ｄを本体部３Ｌの周縁部に近い位置に配置できている。
これにより、本体部３Ｌの内部におけるブッシング４が占める空間の体積が減少している。
従って、本体部の外形が従来と同じサイズであってもより大きなスピーカユニットを採用することができる。逆に、従来と同じサイズのスピーカユニットを採用しても本体部の外形をより小型にすることができる。
また、本体部の外形及びスピーカユニットが従来と同じサイズである場合に、内部の空間容積（いわゆるバックキャビティに相当）（概ねＶｆｆ＋Ｖｒｒに相当）を大きくできるので、低音の量感が増した良好な再生音をユーザに提供することができる。
【００５９】
また、ブッシング４はシリコーンゴムなどの柔軟性を有する材料で形成されるので、ユーザにはゴムの質感が認知される。ハウジングＨＧから直接ブッシング４が突出する場合、樹脂材からなるカバー１０他のハウジングＨＧ構成部材とゴム材からなるブッシング４との質感の違いを違和感なくユーザに認知してもらうためのデザインは制約が多い。
しかしながら、実施例では、外観上、オーナメントリング９の筒部９ｂを介してブッシング４が露出して突出するので、オーナメントリング９の色や表面処理を適宜工夫することができ違和感を減少させるためのデザイン上の自由度が増す。従って、ヘッドホン５０の外観性能をより向上させることが可能である。
【００６０】
実施例のヘッドホンは、更に以下の特徴的構成を有する。
具体的には、ヘッドホン５０は、図１に示される仮想的に２分割されたハウジング内空間Ｖｆ，Ｖｒを有し、分割された各空間Ｖｆ，Ｖｒと外部空間とを連通する２つのダクト部５６ａ，５６ｂを有している。
【００６１】
ヘッドホン５０のハウジングＨＧは、長手軸ＣＬ１が図１に示す分割線ＣＬ３となるように形成されている。
そして、図１１に示すように、内部空間Ｖｒと内部空間Ｖｆとが仮想的に形成され、それぞれの容積Ｖｒｒと容積Ｖｆｆとが、Ｖｒｒ＜Ｖｆｆ・・・（式１）を満たすようになっている。
一方、カバー１０に設けられた切り欠き１０ｃとオーナメントリング９の筒部９ｂとの間には隙間が設けられている。この隙間が音質調整孔５５となっている（図１０，図１１参照）。
【００６２】
図１２は、カバー１０における切り欠き１０ｃ近傍の形状を説明するための部分斜視図であり、カバー１０の内面側を見た図である。
【００６３】
切り欠き１０ｃの両側には、分割線ＣＬ３に平行に延在する壁部１０ｋｆ，１０ｋｒが設けられている。ヘッドホン５０の装着時に、壁部１０ｋｆが頭部前方側、壁部１０ｋｒが頭部後方側に位置する。
壁部１０ｋｆ，１０ｋｒとリブ１０ｂ（図１０参照）との間には、スリット１０ｓｔが設けられており、スリット１０ｓｔにはブッシング４のフランジ部４ｄが隙間なく挿入される。
壁部１０ｋｆと壁部１０ｋｒとは、凹んだ曲面を有する連結部１０ｍで連結されている。そして、連結部１０ｍのリブ１０ｂ側の部分は、オーナメントリング９の筒部９ｂの外形形状と合致するような形成された当接部１０ｍ１とされており、ハウジングＨＧが組み立てられた際に、筒部９ｂの表面と密着するようになっている。
連結部１０ｍの当接部１０ｍ１を挟んだリブ１０ｂの反対側は、筒部９ｂの表面と隙間が生じるような内面形状で形成された内壁部１０ｍ２とされている。
【００６４】
壁部１０ｋｆと壁部１０ｋｒには、それぞれ矩形の切り欠き１０ｎｆ，１０ｎｒが形成されている。これらの切り欠き１０ｎｆ，１０ｎｒは、それぞれ図１で説明したダクト５６ａ，５６ｂに相当する。
また、切り欠き１０ｎｆの面積（抉られた範囲の面積）ＡＲｎｆと、切り欠き１０ｎｒの面積（抉られた範囲の面積：矢視Ｓ１２図参照）ＡＲｎｒとは、
ＡＲｎｆ≠ＡＲｎｒとされている。さらに、図１２においては、ＡＲｎｆ＜ＡＲｎｒ  となっている。
【００６５】
ハウジングＨＧが組み立てられた際の、内壁部１０ｍ２と筒部９ｂとで形成される空気流通経路が図１に示すダクト５６ｓに相当し、切り欠き１０ｎｆ，１０ｎｒは、それぞれ図１で説明したダクト５６ａ，５６ｂに相当する。
従って、図１の構成が具現化されている。
【００６６】
本発明の実施例は、上述した構成及び手順に限定されるものではなく、本発明の要旨を逸脱しない範囲において変形例としてもよいのは言うまでもない。
【００６７】
切り欠き１０ｎｆ，１０ｎｒの形状は、図１２に示すような矩形でなくてもよい。円弧状であってもよく限定されない。また、縁部から抉られた切り欠きでなく、縁部から離れた所に設けられた貫通孔であってもよい。
【符号の説明】
【００６８】
１  ヘッドバンド部
２Ｌ，２Ｒ  ハンガ部
３Ｌ，３Ｒ  本体部
４  ブッシング
４ａ  貫通孔
４ｂ  筒部
４ｃ  先端筒部
４ｄ  フランジ部
４ｅ  凹部
５  コード
５ａ  結び玉
５ｂ  先端コード部
６  イヤーパッド
７  ベース
７ａ  バッフルボード部
７ｂ  フランジ部
７ｃ  リブ
７ｄ  放音孔
８  リングベース
９  オーナメントリング
９ａ  貫通孔
９ｂ  筒部
９ｂ１  切り欠き部
９ｃ  輪部
１０  カバー
１０ｂ  リブ
１０ｂ１  抉り部
１０ｃ  切り欠き
１０ｋｆ，１０ｋｒ  壁部
１０ｍ  連結部
１０ｍ１  当接部
１０ｍ２  内壁部
１０ｎｆ，１０ｎｒ  切り欠き
１０ｓｔ  スリット
１１  スピーカユニット
５０，５０Ａ  ヘッドホン
５２  ハウジング
５３  イヤーパッド
５４  バッフル板
５５  貫通孔（音質調整孔）
５５ａ，５５ｂ  内開口部
５５ｓ  外開口部
５６ｓ，５６ａ，５６ｂ  ダクト
５７  仕切壁
１５１，１５１Ａ  ユニット
ＡＲｆ,ＡＲｓ，ＡＲｒ  開口面積（断面積）
ＢＳ  ブッシング
ＣＤ  コード
ＣＬ１  長手軸
ＣＬ２  駆動軸
ＣＬ３  分割線
ＣＬ１０１  （頭部の）中心線
Ｅ１  耳介
Ｅ２  耳甲介腔
ＧＫ  外形寸法拡大部
Ｈ  頭部
ＨＤ  引きだし部
ＨＧ  ハウジング
ＳＤＢ  振動板
Ｖ  空間
Ｖｆ，Ｖｒ  内部空間
Ｖｆｆ，Ｖｒｒ  容積
Ｙ  タッピングネジ
【図１】
0005278395.tif 000002
【図２】
0005278395.tif 000003
【図３】
0005278395.tif 000004
【図４】
0005278395.tif 000005
【図５】
0005278395.tif 000006
【図６】
0005278395.tif 000007
【図７】
0005278395.tif 000008
【図８】
0005278395.tif 000009
【図９】
0005278395.tif 000010
【図１０】
0005278395.tif 000011
【図１１】
0005278395.tif 000012
【図１２】
0005278395.tif 000013
【図１３】
0005278395.tif 000014
【図１４】
0005278395.tif 000015